(57)【要約】【課題】現場での作業及び管理が容易な外壁パネル取付け用金具を提供することである。【解決手段】矩形の金属製プレートによって形成され、一方の縁部に沿って延びたスロットを有する本体（１２）と、本体の他方の縁部に、本体を含む平面に対して直交し且つ本体の上方及び下方にほぼ等距離延びるように固定された溝挿入部分（１６）と、本体を構造躯体に接合するための構造躯体取付け部（１８）とを備え、構造躯体取付け部を構造躯体の所定個所に固定し、溝挿入部分が外壁パネルの上縁又は下縁の溝に嵌まるように、本体と構造躯体取付け部とを接合することによって構造躯体に外壁パネルを取付ける。【選択図】　図１
2004019342.tif 000002
【特許請求の範囲】
【請求項１】
構造躯体に外壁パネルを取付けるために使用される外壁パネル取付け用金具であって、
矩形の金属製プレートによって形成され、一方の縁部に沿って延びたスロットを有する本体と、
前記本体の他方の縁部に、前記本体を含む平面に対して直交し且つ前記本体の上方及び下方にほぼ等距離延びるように固定された溝挿入部分と、
前記本体を構造躯体に接合するための構造躯体取付け部と、
を備え、前記構造躯体取付け部が、垂直部分及び水平部分から成る側面視Ｌ形又はＴ形の金属製プレートによって形成され、前記垂直部分に、前記垂直部分と前記水平部分との交線に対して直交方向に延びたスロットが設けられ、前記水平部分に、前記交線に対して直交方向に延びたスロットが設けられており、
前記垂直部分の前記スロットに通した締結具によって前記構造躯体取付け部を構造躯体の所定個所に固定し、前記水平部分の前記スロットと前記本体の前記スロットが整列し且つ前記溝挿入部分が外壁パネルの上縁又は下縁の溝に嵌まるように、前記水平部分の前記スロットと前記本体の前記スロットにボルトを通して前記本体と前記構造躯体取付け部とを接合することによって、構造躯体に外壁パネルを取付けることを特徴とする取付け用金具。
【請求項２】
構造躯体に外壁パネルを取付けるために使用される外壁パネル取付け用金具であって、
垂直部分及び水平部分から成る側面視Ｌ形又はＴ形の金属製プレートによって形成された本体と、
前記本体の縁部に、前記本体を含む平面に対して直交し且つ前記本体の上方及び下方にほぼ等距離延びるように固定された溝挿入部分と、
を備え、前記本体の前記垂直部分に、前記垂直部分と前記水平部分との交線に対して直交方向に延びたスロットが設けられており、
前記溝挿入部分が外壁パネルの上縁又は下縁の溝に嵌まるように、前記垂直部分の前記スロットに通した締結具によって前記本体を構造躯体の所定個所に固定することによって、構造躯体に外壁パネルを取付けることを特徴とする取付け用金具。
【請求項３】
構造躯体に外壁パネルを取付けるために使用される外壁パネル取付け用金具であって、
矩形の金属製プレートによって形成され、一方の縁部に沿って延びたスロットを有する本体と、
前記本体の他方の縁部付近に前記縁部に対して平行に設けられた矩形の開口内に、前記本体の上方及び下方にほぼ等距離延びるように挿入して固定された溝挿入部分と、
前記本体を構造躯体に接合するための構造躯体取付け部と、
を備え、前記構造躯体取付け部が、垂直部分及び水平部分から成る側面視Ｌ形又はＴ形の金属製プレートによって形成され、前記垂直部分に、前記垂直部分と前記水平部分との交線に対して直交方向に延びたスロットが設けられ、前記水平部分に、前記交線に対して直交方向に延びたスロットが設けられており、
前記垂直部分の前記スロットに通した締結具によって前記構造躯体取付け部を構造躯体の所定個所に固定し、前記水平部分の前記スロットと前記本体の前記スロットが整列し且つ前記溝挿入部分が外壁パネルの上縁又は下縁の溝に嵌まるように、前記水平部分の前記スロットと前記本体の前記スロットにボルトを通して前記本体と前記構造躯体取付け部とを接合することによって、構造躯体に外壁パネルを取付けることを特徴とする取付け用金具。
【請求項４】
構造躯体に外壁パネルを取付けるために使用される外壁パネル取付け用金具であって、
垂直部分及び水平部分から成る側面視Ｌ形又はＴ形の金属製プレートによって形成された本体と、
前記本体の縁部付近に前記縁部に対して平行に設けられた矩形の開口内に、前記本体の上方及び下方にほぼ等距離延びるように挿入して固定された溝挿入部分と、
を備え、前記本体の前記垂直部分に、前記垂直部分と前記水平部分との交線に対して直交方向に延びたスロットが設けられており、
前記溝挿入部分が外壁パネルの上縁又は下縁の溝に嵌まるように、前記垂直部分の前記スロットに通した締結具によって前記本体を構造躯体の所定個所に固定することによって、構造躯体に外壁パネルを取付けることを特徴とする取付け用金具。
【発明の詳細な説明】
【０００１】
【発明の属する技術分野】
本発明は、一般的に、外壁パネル取付け用金具に関する。より詳細には、本発明は、現場での作業が容易な外壁パネル取付け用金具に関する。
【０００２】
【従来の技術】
建築物の壁材として外壁パネルを採用した場合、取付け金具を使用して外壁パネルを構造躯体に固定する方法が一般的である。図１４に示される従来の一般的な外壁パネル取付け用金具５０は、プレート状の本体５２と、側面視Ｌ形の構造躯体取付け部５４とを備え、アンカーボルトを用いて構造躯体取付け部５４を構造躯体に取付け、ボルトを用いて構造躯体取付け部５４と本体５２とを接合し、本体５２の先端の孔５２ａに挿入されたピン５６を外壁パネルの上縁及び下縁の孔に挿入することによって、外壁パネルを構造躯体に取り付けていた。
【０００３】
【発明が解決しようとする課題】
しかしながら、図１４に示される従来の外壁パネル取付け用金具では、工事現場において外壁パネルの上縁及び下縁にドリルを用いて穿孔しなければならず、穿孔専用のドリルを準備する必要があった。また、５ｍｍ程度のピン径に合う孔を開けなければならないため、作業が煩雑になり、時間もかかるという不都合があった。さらに、本体５２とピン５６は、別個の部品であるため、部品点数が増え、部品管理が面倒であるという弊害もあった。
【０００４】
したがって、本発明は、上述の弊害を克服し、現場での作業及び管理が容易な外壁パネル取付け用金具を提供することを目的とする。
【０００５】
【課題を解決するための手段】
本願請求項１に記載の外壁パネル取付け用金具は、矩形の金属製プレートによって形成され、一方の縁部に沿って延びたスロットを有する本体と、前記本体の他方の縁部に、前記本体を含む平面に対して直交し且つ前記本体の上方及び下方にほぼ等距離延びるように固定された溝挿入部分と、前記本体を構造躯体に接合するための構造躯体取付け部とを備え、前記構造躯体取付け部が、垂直部分及び水平部分から成る側面視Ｌ形又はＴ形の金属製プレートによって形成され、前記垂直部分に、前記垂直部分と前記水平部分との交線に対して直交方向に延びたスロットが設けられ、前記水平部分に、前記交線に対して直交方向に延びたスロットが設けられており、前記垂直部分の前記スロットに通した締結具によって前記構造躯体取付け部を構造躯体の所定個所に固定し、前記水平部分の前記スロットと前記本体の前記スロットが整列し且つ前記溝挿入部分が外壁パネルの上縁又は下縁の溝に嵌まるように、前記水平部分の前記スロットと前記本体の前記スロットにボルトを通して前記本体と前記構造躯体取付け部とを接合することによって、構造躯体に外壁パネルを取付けることを特徴とするものである。
【０００６】
本願請求項２に記載の外壁パネル取付け用金具は、垂直部分及び水平部分から成る側面視Ｌ形又はＴ形の金属製プレートによって形成された本体と、前記本体の縁部に、前記本体を含む平面に対して直交し且つ前記本体の上方及び下方にほぼ等距離延びるように固定された溝挿入部分とを備え、前記本体の前記垂直部分に、前記垂直部分と前記水平部分との交線に対して直交方向に延びたスロットが設けられており、前記溝挿入部分が外壁パネルの上縁又は下縁の溝に嵌まるように、前記垂直部分の前記スロットに通した締結具によって前記本体を構造躯体の所定個所に固定することによって、構造躯体に外壁パネルを取付けることを特徴とするものである。
【０００７】
本願請求項３に記載の外壁パネル取付け用金具は、矩形の金属製プレートによって形成され、一方の縁部に沿って延びたスロットを有する本体と、前記本体の他方の縁部付近に前記縁部に対して平行に設けられた矩形の開口内に、前記本体の上方及び下方にほぼ等距離延びるように挿入して固定された溝挿入部分と、前記本体を構造躯体に接合するための構造躯体取付け部とを備え、前記構造躯体取付け部が、垂直部分及び水平部分から成る側面視Ｌ形又はＴ形の金属製プレートによって形成され、前記垂直部分に、前記垂直部分と前記水平部分との交線に対して直交方向に延びたスロットが設けられ、前記水平部分に、前記交線に対して直交方向に延びたスロットが設けられており、前記垂直部分の前記スロットに通した締結具によって前記構造躯体取付け部を構造躯体の所定個所に固定し、前記水平部分の前記スロットと前記本体の前記スロットが整列し且つ前記溝挿入部分が外壁パネルの上縁又は下縁の溝に嵌まるように、前記水平部分の前記スロットと前記本体の前記スロットにボルトを通して前記本体と前記構造躯体取付け部とを接合することによって、構造躯体に外壁パネルを取付けることを特徴とするものである。
【０００８】
本願請求項４に記載の外壁パネル取付け用金具は、垂直部分及び水平部分から成る側面視Ｌ形又はＴ形の金属製プレートによって形成された本体と、前記本体の縁部付近に前記縁部に対して平行に設けられた矩形の開口内に、前記本体の上方及び下方にほぼ等距離延びるように挿入して固定された溝挿入部分とを備え、前記本体の前記垂直部分に、前記垂直部分と前記水平部分との交線に対して直交方向に延びたスロットが設けられており、前記溝挿入部分が外壁パネルの上縁又は下縁の溝に嵌まるように、前記垂直部分の前記スロットに通した締結具によって前記本体を構造躯体の所定個所に固定することによって、構造躯体に外壁パネルを取付けることを特徴とするものである。
【０００９】
【発明の実施の形態】
次に、図面を参照して、本発明の実施の形態について詳細に説明する。図１〜図４は、本発明の第１の実施の形態に係る外壁パネル取付け用金具を示した図である。図１〜図４において全体として参照符号１０で示される本発明の第１の実施の形態に係る外壁パネル取付け用金具は、矩形の金属製プレートによって形成された本体１２を備えている。
【００１０】
本体１２の一方の縁部１２ａには、縁部１２ａに沿って延びたスロット１４が設けられている。また、本体１２の他方の縁部１２ｂには、矩形の金属製プレートで形成された溝挿入部分１６が、本体１２を含む平面に対して直交し且つ本体１２の上方及び下方にほぼ等距離延びるように溶接等で固定されている。
【００１１】
外壁パネル取付け用金具１０は、本体１２を構造躯体に接合するための構造躯体取付け部１８を更に備えている。構造躯体取付け部１８は、図１及び図３に示されるように、垂直部分２０及び水平部分２２から成る側面視Ｌ形の金属製プレートによって形成されている。構造躯体取付け部１８として、山型鋼を使用してもよい。構造躯体取付け部１８の垂直部分２０には、垂直部分２０と水平部分２２との交線に対して直交方向に延びたスロット２０ａが設けられ、構造躯体取付け部１８の水平部分２２には、前記交線に対して直交方向に延びたスロット２２ａが設けられている。
【００１２】
次に、図５及び図６を参照して、本発明の第１の実施の形態に係る外壁パネル取付け用金具１０の使用について説明する。まず、構造躯体に取付けようとする外壁パネルの上縁及び下縁に、ダイヤモンドカッターで溝を設けておく（図５には、外壁パネルの上縁の溝のみが示されている。溝は、円形のカッターで設けられるため、円弧状になっている。）。次いで、スロット２０ａに通したアンカーボルトによって構造躯体取付け部１８を構造躯体の所定個所に固定する。なお、図６（ａ）及び図６（ｂ）において、アンカーボルトに隣接して位置する調整ボルトは、構造躯体取付け部１８を垂直に取付けるためのものである。
【００１３】
次いで、スロット２２ａとスロット１４が整列し且つ溝挿入部分１６が外壁パネルの上縁の溝に嵌まるように、構造躯体取付け部１８の水平部分２２上に本体１２を載せ、スロット２２ａとスロット１４にボルトを通して本体１２と構造躯体取付け部１８とを接合する（図６（ａ）参照）。次いで、第２の外壁パネルを準備し、第２の外壁パネルの下縁の溝に溝挿入部分１６が嵌まるように、第２の外壁パネルを設置する（図６（ｂ）参照）。以上の作業を繰り返して、外壁パネル取付け作業を行う。
【００１４】
図７〜図１０は、本発明の第２の実施の形態に係る外壁パネル取付け用金具を示した図である。図７〜図１０において全体として参照符号３０で示される本発明の第２の実施の形態に係る外壁パネル取付け用金具は、本体と構造躯体取付け部が一体になっている点を除いて、第１の実施の形態に係る外壁パネル取付け用金具１０と実質的に同一である。すなわち、外壁パネル取付け用金具３０は、垂直部分３４及び水平部分３６から成る側面視Ｌ形の金属製プレートによって形成される本体３２を備えている。本体３２として、山型鋼を使用してもよい。本体３２の垂直部分３４には、垂直部分３４と水平部分３６との交線に対して直交方向に延びたスロット３４ａが設けられている。水平部分３６の垂直部分３４が設けられている側と反対側の縁部には、矩形の金属プレートで形成された溝挿入部分３８が、水平部分３６を含む平面に対して直交し且つ水平部分３６の上方及び下方にほぼ等距離延びるように溶接等で固定されている。
【００１５】
図１１は、外壁パネル取付け用金具３０を使用して外壁パネルを取付ける手順を示した図であるが、取付け手順は、図６を参照して説明した外壁パネル取付け用金具１０の取付け手順と実質的に同一である。
【００１６】
本発明は、以上の発明の実施の形態に限定されることなく、特許請求の範囲に記載された発明の範囲内で、種々の変更が可能であり、それらも本発明の範囲内に包含されるものであることはいうまでもない。
【００１７】
例えば、前記実施の形態においては、構造躯体取付け部１８及び本体３２は、側面視Ｌ形の形状を有するものであるが、図１２に示されるように、構造躯体取付け部１８及び本体３２を側面視Ｔ形の形状を有するものとして形成してもよい。構造躯体取付け部１８及び本体３２をＴ形にした場合には、Ｌ形の場合よりも、構造的により堅固なものとなる。また、前記実施の形態では、構造躯体取付け部１８及び本体３２の構造躯体への固定がアンカーボルトによって行われているが、アンカーボルトの代わりに、他の締結具（例えば、コンクリート・ビス）を使用してもよい。さらに、構造躯体取付け部１８及び本体３２を垂直に取付けるのに用いられる調整ボルトは、省略してもよい。
【００１８】
また、前記実施の形態においては、本体１２、３２の縁部に溝挿入部分１６、３８が固定されているが、図１３（ａ）に示されるように、本体４２の縁部付近に設けた開口４６ａに溝挿入部分４８を挿入して固定してもよい。すなわち、図１３（ａ）に示される外壁パネル取付け用金具４０は、垂直部分４４及び水平部分４６から成る側面視Ｌ形の金属製プレートによって形成される本体４２を備えている。本体４２の垂直部分４４には、垂直部分４４と水平部分４６との交線に対して直交方向に延びたスロット４４ａが設けられている。また、水平部分４６の垂直部分４４が設けられている側と反対側の縁部の付近に、縁部に対して平行に延びた矩形の開口４６ａが設けられており、矩形の金属プレートで形成された溝挿入部分４８が開口４６ａに水平部分４４の上方及び下方にほぼ等距離延びるように挿入され、溶接等で水平部分４４に固定されている。図１３（ｂ）は、外壁パネル取付け用金具４０を用いた外壁パネルの取付け状態を示した図である。なお、図１３に示される外壁パネル取付け用金具４０は、第２の実施の形態に係る外壁パネル取付け用金具３０の変形形態であるが、第１の実施の形態に係る外壁パネル取付け用金具１０についても、開口に溝挿入部分を挿入して固定する同様の変形形態（図示せず）を採用することができる。
【００１９】
【発明の効果】
本発明によれば、外壁パネルの穿孔専用の工具を準備する必要がなく、パネル取付け工事において他の作業にも使用されるダイヤモンドカッターを用いて外壁パネルに溝を設けることができるので、作業を簡単且つ迅速に行うことが可能になる。また、溝挿入部分と本体が一体に形成されているので、部品点数を減少させ、部品管理を容易にすることができる。
【図面の簡単な説明】
【図１】本発明の第１の実施の形態に係る外壁パネル取付け用金具の斜視図である。
【図２】図１の外壁パネル取付け用金具の平面図である。
【図３】図１の外壁パネル取付け用金具の側面図である。
【図４】図１の外壁パネル取付け用金具の正面図である。
【図５】外壁パネルの上縁に設けられた溝を示す斜視図である。
【図６】図１の外壁パネル取付け用金具を用いた外壁パネルの取付け作業を示した図である。
【図７】本発明の第２の実施の形態に係る外壁パネル取付け用金具の斜視図である。
【図８】図７の外壁パネル取付け用金具の平面図である。
【図９】図７の外壁パネル取付け用金具の側面図である。
【図１０】図７の外壁パネル取付け用金具の正面図である。
【図１１】図７の外壁パネル取付け用金具を用いた外壁パネルの取付け作業を示した図である。
【図１２】本発明の外壁パネル取付け用金具の変形形態を示した図である。
【図１３】本発明の外壁パネル取付け用金具の別の変形形態を示した図である。
【図１４】従来の外壁パネル取付け用金具を示した図である。
【符号の説明】
１０　第１の実施の形態に係る外壁パネル取付け用金具
１２　本体
１６　溝挿入部分
１８　構造躯体取付け部
３０　第２の実施の形態に係る外壁パネル取付け用金具
３２　本体
３８　溝挿入部分
【図１】
2004019342.tif 000003
【図２】
2004019342.tif 000004
【図３】
2004019342.tif 000005
【図４】
2004019342.tif 000006
【図５】
2004019342.tif 000007
【図６】
2004019342.tif 000008
【図７】
2004019342.tif 000009
【図８】
2004019342.tif 000010
【図９】
2004019342.tif 000011
【図１０】
2004019342.tif 000012
【図１１】
2004019342.tif 000013
【図１２】
2004019342.tif 000014
【図１３】
2004019342.tif 000015
【図１４】
2004019342.tif 000016